(57)【要約】  【課題】ステージに形成された大きさ（径）や厚みの異なる嵌合用孔及び径のバラツキの有る嵌合用孔に対しても容易に嵌め合わせてディスプレー用ダミーをステージに確りと取り付けることができるディスプレー用ダミーの取り付け構造を提供できるようにする。【解決手段】    自動販売機のディスプレー部分に設置されたステージの嵌合用孔にディスプレー用ダミーの下端部を嵌合させて使用される自動販売機におけるディスプレー用ダミーの取り付け構造であって、前記ディスプレー用ダミーは弾性を有する素材で半割状に形成され底部に、ステージの嵌合用孔に嵌合する保持部が形成されるとともに、底面に保持部の保持力を増強する補強リブを左右方向にライン状に設けて保持部を形成した。【選択図】図５
2004199721.tif 000002
【特許請求の範囲】
【請求項１】
自動販売機のディスプレー部分に設置されたステージの嵌合用孔にディスプレー用ダミーの下端部を嵌合させて使用される自動販売機におけるディスプレー用ダミーの取り付け構造であって、
前記ディスプレー用ダミーは弾性を有する素材で半割状に形成された底部分に、ステージの嵌合用孔の周縁部分に嵌合する保持部が形成されるとともに、底面に保持部の保持力を増強する補強リブを左右方向にライン状に設けて嵌合部を形成したことを特徴とするディスプレー用ダミーの取り付け構造。
【請求項２】
ステージの嵌合用孔に嵌合する保持部が、嵌合用孔の周縁部分に嵌合する溝で形成したことを特徴とする請求項１に記載のディスプレー用ダミーの取付け構造。
【請求項３】
溝がディスプレー用ダミーの下部と、底面の前方に、所定間隔を以って形成された凸部とで形成されていることを特徴とする請求項２に記載のディスプレー用ダミーの取り付け構造。
【発明の詳細な説明】
【技術分野】
【０００１】
この発明は、コーヒー、ジュース、ビールやお茶などの容器入りの飲料、あるいは、煙草、乾電池等を無人販売するための自動販売機のディスプレー部分に取り付けられるディスプレー用ダミー（展示用商品の模造品）の取り付け構造に関するものである。
【背景技術】
【０００２】
例えば、ペットボトル等の容器に入った各種飲料やその他の商品の自動販売機においては、その前面のディスプレー部分にステージを設け、このステージにディスプレー用ダミーを設置するのであるが、従前では下記の特許文献１等に示されるように販売される商品と同形状で下部に保持部を形成したディスプレー用ダミーを形成し、この保持部をステージに穿設した嵌合用孔に嵌合させるようにしていた。
【０００３】
ところがこうしたものでは、コストが高くなることから、ハーフタイプのディスプレー用ダミーの底部を弾性変形させてステージの取り付け用保持部に嵌合させるようにした半割のディスプレー用ダミーが用いられている。
このディスプレー用ダミーが半割のものの場合、ドアの開け閉め時の振動や風圧でステージに設置されたダミーが傾いたりずれたりするおそれがあり、これを防ぐために、例えば下記の特許文献２等にも示されているように、半割のディスプレー用ダミーを保持したアダプタを介してステージに取り付けるようにしたものが知られている。
【０００４】
しかし、アダプタを介して半割のディスプレー用ダミーをステージに設置するようにしたものでは、ディスプレー用ダミーの製作のほかに、アダプタも製作しなくてはならず、手間がかかるだけでなく、このアダプタはディスプレー用ダミーの種類に合わせて製作されるために、種類も多くなり、製作コストも更に高くなってしまうという問題もある。
さらに、飲料の種類が変更されて交換する必要がある場合にも上記問題点が顕著になる。
【０００５】
【特許文献１】特開平１０−７９０７８号公報
【特許文献２】特開２０００−２２２６３６号公報
【発明の開示】
【発明が解決しようとする課題】
【０００６】
本発明は、前記のような問題点に鑑みて開発されたものであり、ステージに形成された大きさ（径）や厚みの異なる嵌合用孔や寸法のバラツキの有る嵌合孔に対しても容易に嵌め合わせてディスプレー用ダミーをステージに確りと取り付けることができるディスプレー用ダミーの取り付け構造を提供できるようにすることを目的とする。
【課題を解決するための手段】
【０００７】
本発明にかかるディスプレー用ダミーの取り付け構造は、自動販売機のディスプレー部分に設置されたステージの嵌合用孔にディスプレー用ダミーの下端部を嵌合させて使用される自動販売機におけるディスプレー用ダミーの取り付け構造であって、前記ディスプレー用ダミーは、弾性を有する素材で半割状に形成され、その底部に、ステージの嵌合用孔の周縁部分に嵌合する保持部が形成されるとともに、底面に保持部の保持力を増強する補強リブを左右方向にライン状に設けて保持部を形成したことを特徴とするものである。
【０００８】
また、本発明にかかるディスプレー用ダミーの取り付け構造では、ステージの嵌合用孔に嵌合する保持部が、嵌合孔の周縁部分に嵌合する溝で形成することや、溝がディスプレー用ダミーの下部と、底面の前方に、所定間隔を以って形成された凸部とで形成するようにしたことも特徴とするものである。
【発明の効果】
【０００９】
本発明にかかるディスプレー用ダミーの取り付け構造では、請求項１に記載の本発明のディスプレー用ダミーの取り付け構造では、ディスプレー用ダミーの保持部寄りの箇所を手で掴んで弾性変形させることによって、補強リブを弾性変形させることにより保持部の左右の両端部の幅をステージの嵌合用孔の直径より小さくなるように弾性変形させて収縮させ、嵌合用孔に挿入した後、弾性復帰させて嵌合した保持部の保持力を補強リブで増強させるようにしてあるので、径や厚みの異なる嵌合用孔や寸法のバラツキの有る嵌合孔に対しても、ディスプレー用ダミーを簡単に着脱することができる。
【００１０】
また、装着保持部を左右方向から一旦収縮させ、この状態で前記嵌合用孔に挿入して弾性復帰させることにより、補強リブが弾性復帰することにより、保持部の嵌合保持力が強まり、ドアの開け閉め時の振動や風圧でステージに設置されたディスプレー用ダミーが嵌合用孔から簡単に外れたり、ずれて傾いたりするのを防止できる利点がある。
【発明を実施するための最良の形態】
【００１１】
以下、本発明を実施するための最良の形態の自動販売機におけるディスプレー用ダミーの取り付け構造について図１乃至図７に基づいて説明する。
先ず図１は自動販売機の斜視図であって、図中符号１は自動販売機を全体的に示す。図中符号２は商品補充のために開閉自在に設けられた前面扉であり、その上部には、商品と略同寸法に形成された缶タイプのディスプレー用ダミー３や、ポリエチレンテレフタレート（Ｐ．Ｅ．Ｔ）製ボトルタイプのディスプレー用ダミー４（以下、両者を含めてダミー３、４という。）を展示するためのディスプレー室（ディスプレー部分）５が上下二段に設けられている。
前面扉２には前記ダミー３、４に関連する商品選択用の押しボタン６・６・・・が配設されている。
また、前面扉２の下部側には商品取り出し口７が設けられており、他にも図中符号８で示す金銭投入口や、釣銭口９、及び金銭返却用の操作レバー１０が設けられている。
【００１２】
ディスプレー室５の内部には、ダミー３、４の取り付け面となるステージ１１が設けられている。
このステージ１１は図１及び図２に示すように、金属製帯板を高さの低い横長の略直方体形状に形成したもので、上面部分には嵌合用孔１３が所定間隔を以って複数穿設されており、後述するダミー３、４の下部に形成された保持部１２を嵌合させることができるようにしてある。
【００１３】
前記各嵌合用孔１３は、図１に示すようにステージ１１の内方に設置された蛍光灯(図示省略)の光をダミー３、４の内方から照射させて商品を浮かび上がらせるための光透過孔を兼ねるもので、ダミー３、４の径よりも小径に形成された半円形部をステージ１１の前側に位置する状態に設置されている。
【００１４】
一方、前記ステージ１１に設置される各ダミー３、４は、図３乃至図６に示すように形成される。
すなわち、ダミー３、４は、耐熱、耐候性に優れたポリカーボネイト製の透明シートの一面に光透過性インクにより商品と同様の印刷を施し、この印刷面が内方になるように真空成型して半割状の製品にしたもので、この真空成型と同時にダミー３、４の下部に保持部１２が一体に形成される。
ここで、本発明に言う半割状とは、円筒状の商品の真半部だけでなく、両端部を後方に長くしたものを含む。
【００１５】
ステージ１１の嵌合用孔１３に嵌合する保持部１２は、嵌合孔１３の周縁部分１３ａに嵌合する溝１６と、溝１６の保持力を増強する補強リブ１７とで形成されている。
上記溝１６は、ダミー３、４の下部３ａ、４ａと、ダミー３、４の底部３ｂ、４ｂの前寄り部分の二箇所及びその側方部分にそれぞれ半円状に突出形成された凸部１８並びに左右両側部分にその端部から側方に突出した形に形成されてい両係止凸部１９との間に形成され、これら凸部１８、１９はダミー３，４を成型する時に同時に一体に形成されている。
また、溝１６の保持力、ひいては保持部１２の保持力を増強する補強リブ１７は、断面が山形若しくは波形の凹凸を左右方向にライン状に設けて形成されている。
【００１６】
前記のように構成されたダミー３、４をステージ１１に取り付ける場合について次に説明する。
先ず、図７に示すようにダミー３、４の胴部３ｃ、４ｃの下部の両端近傍を指で挟み持つことによって、ライン状の補強リブ１７の弾性力に抗して補強リブ１７を弾性変形させ、ダミー３、４の保持部１２の径を縮小する。
【００１７】
次に、このように径を縮小させた状態でダミー３、４の裏側を衝立１４側にしてステージ１１の所望の嵌合用孔１３に保持部１２を挿入し、挿入後に前記のように挟み持ちした指の力を緩めて胴部３ｃ、４ｃとともに保持部１２を弾性復帰させる。
このことによって保持部１２は元の状態に戻って溝１６が嵌合用孔１３の周縁部分１３ａに嵌合する。
これと同時に、これまで撓んでいた補強リブ１７が直線状に弾性復帰し、溝１６をステージ１１の嵌合用孔１３の周縁部１３ａに深く確りと食い込ませる。
したがってダミー３、４は、ステージ１１に確実に取り付けられることになる。
【００１８】
尚、図示は省略したが、保持部１２の溝１６の一部には位置決め用突起が形成してあり、この位置決め突起に対応する嵌合用孔１３の周縁部１６には位置決め用の凹部が形成されているので、これらの嵌合によりダミー３、４は、ステージ１１に正しい位置に取り付けられる。
尚、上記実施の形態ではダミー３、４は、ポリカーボネイト製の透明シートを真空成型により半割状の製品にしてあるが、耐熱、耐候性に優れた素材であればその他のものを使用できるのは勿論であり、成型方法は真空成型に限られないことはいうまでもないことである。
【００１９】
また、保持部１２の溝１６の形態は上記構成に限られず、ステージ１１の嵌合用孔１３の周縁部１３ａに確実に取り付けられる構造であれば実施することができるのは勿論のことである。
さらに、補強リブ１７は１本でもよいし、３本以上にすることができるのはいうまでもないことである。
【図面の簡単な説明】
【００２０】
【図１】本発明にかかる自動販売機の斜視図である。
【図２】本発明にかかるステージ部分の斜視図である。
【図３】本発明かかるディスプレー用ダミーの正面である。
【図４】本発明にかかるディスプレー用ダミーの側面図である。
【図５】本発明かかるディスプレー用ダミーの底面図である。
【図６】本発明にかかるディスプレー用ダミーの斜視図である。
【図７】本発明かかるディスプレー用ダミーの胴部を掴んでステージの嵌合用孔に装着する状態の説明図である。
【符号の説明】
【００２１】
１・・・自動販売機
３、４・・・ディスプレー用ダミー
５・・・ディスプレー部分（ディスプレー室）
１１・・・ステージ
１２・・・保持部
１３・・・嵌合用孔
１３ａ・・・１３の周縁部
１６・・・溝
【図１】
2004199721.tif 000003
【図２】
2004199721.tif 000004
【図３】
2004199721.tif 000005
【図４】
2004199721.tif 000006
【図５】
2004199721.tif 000007
【図６】
2004199721.tif 000008
【図７】
2004199721.tif 000009